(57)【要約】【課題】空気調和機本体または制御装置が故障にて返却された場合、確実な故障解析とその修理を実施する。【解決手段】室内機と室外機を接続し、双方向通信可能なワイヤレスコントローラ３より制御可能な空気調和機において、室内機の制御装置１及び室外機の制御装置２の両方に製造番号を記憶する為の記憶部を設け、空気調和機設置後で室内機と室外機の接続時に、室内機生産時にあらかじめ室内機制御装置１の記憶部に記憶された室内機製造番号を室内機から双方向通信可能なワイヤレスコントローラへ送信し、室外機生産時にあらかじめ室外機制御装置２の記憶部に記憶された室外機製造番号も室内機から双方向通信可能なワイヤレスコントローラへ定期的に送信し、ワイヤレスコントローラの記憶部にて、室内機及び室外機の製造番号とその送信回数を記憶する。【選択図】図１
2007240018.tif 000002
【特許請求の範囲】
【請求項１】
室内機と室外機を接続し、双方向通信可能なワイヤレスコントローラより制御可能な空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から前記ワイヤレスコントローラへ送信し、室外機生産時にあらかじめ室外機制御装置の記憶部に記憶された室外機製造番号も室内機から前記ワイヤレスコントローラへ定期的に送信し、このワイヤレスコントローラの記憶部にて、室内機及び室外機の製造番号とその送信回数を記憶することが可能なことを特徴とする空気調和機の制御装置。
【請求項２】
ワイヤレスコントローラはさらにタイマ機能を有し、製造番号の送信回数から推測する使用時間を記憶することを特徴とする請求項１記載の空気調和機の制御装置。
【請求項３】
ワイヤレスコントローラはさらにタイマ機能を有し、ワイヤレスコントローラのＯＮ／ＯＦＦ回数を記憶することを特徴とする請求項１記載の空気調和機の制御装置。
【請求項４】
ワイヤレスコントローラはさらにタイマ機能を有し、ワイヤレスコントローラの各モードにおける運転時間を記憶することを特徴とする請求項１記載の空気調和機の制御装置。
【請求項５】
ワイヤレスコントローラはさらにタイマ機能を有し、ワイヤレスコントローラの各風量設定における運転時間を記憶することを特徴とする請求項１記載の空気調和機の制御装置。
【請求項６】
ワイヤレスコントローラはさらにタイマ機能を有し、ワイヤレスコントローラの各風向設定における運転時間を記憶することを特徴とする請求項１記載の空気調和機の制御装置。
【請求項７】
ワイヤレスコントローラはさらにカレンダ機能を有し、その接続時期を記憶することを特徴とする請求項１記載の空気調和機の制御装置。
【発明の詳細な説明】
【技術分野】
【０００１】
本発明は、室内機と室外機を接続し、双方向通信可能なコントローラにより制御可能な空気調和機において、故障時に室内機と室外機がセットになっていなくても原因解析と修理を容易にする制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった（例えば特許文献１参照）。
【０００３】
図１１は特許文献１に記載の従来の制御装置の構成図である。コントローラ６は、室内機４や室外機５の製品形式を選定する設定部６３、選定した製品形式を記憶する記憶部６４を備え、記憶された製品形式を表示部６２に表示する。
【特許文献１】特開平６−２６５２００号公報
【発明の開示】
【発明が解決しようとする課題】
【０００４】
しかしながら、前記特許文献１の構成では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為故障に対する解析が十分に実施できず、故障に対する修理が完了しない場合も発生する可能性がある。また、室内機と室外機が両方返却されてきても、どの室内機とどの室外機が接続されていたかを知る手段がない為、十分な解析ができない。
【０００５】
本発明はこのような従来の課題を解決するものであり、空気調和機本体または制御装置が故障にて返却された場合、確実な故障解析とその修理を容易に実施することができる空気調和機の制御装置を提供することを目的とする。
【課題を解決するための手段】
【０００６】
室内機と室外機を接続し、双方向通信可能なワイヤレスコントローラより制御可能な空気調和機において、室内機の制御装置及び室外機の制御装置の両方に製造番号を記憶する為の記憶部を設け、空気調和機設置後で室内機と室外機の接続時に、室内機生産時にあらかじめ室内機制御装置の記憶部に記憶された室内機製造番号を室内機から双方向通信可能なワイヤレスコントローラへ定期的に送信し、室外機生産時にあらかじめ室外機制御装置の記憶部に記憶された室外機製造番号も室内機から双方向通信可能なワイヤレスコントローラへ定期的に送信し、ワイヤレスコントローラの記憶部にて、室内機及び室外機の製造番号とその送信回数を記憶すると共に、もし、過去送信されてきた製造番号と異なる新たな製造番号が送信された場合には、過去送信された製造番号とその送信回数及び新たに送信された製造番号とその送信回数の両方を記憶する。
【０００７】
上記構成によって、室内機と室外機を接続し、双方向通信可能なワイヤレスコントローラより制御可能な空気調和機において、空気調和機室内機本体または室内機の制御装置と、双方向通信可能なワイヤレスコントローラが故障にて返却された場合、確実な故障解析
とその修理を容易に実施することができる空気調和機の制御装置を提供するものである。
【発明の効果】
【０００８】
本発明の空気調和機の制御装置は、双方向通信可能なワイヤレスコントローラの記憶部に、過去に接続された複数の室内機製造番号とその送信回数を記憶すると共に、過去に接続された複数の室外機製造番号とその送信回数を記憶することにより、空気調和機室内機本体または室内機の制御装置と、ワイヤレスコントローラが故障にて返却された場合、確実な故障解析とその修理を容易に実施することができる。
【発明を実施するための最良の形態】
【０００９】
第１の発明は、双方向通信可能なワイヤレスコントローラの記憶部に、過去に接続された複数の室内機製造番号とその送信回数を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１０】
第２の発明は、双方向通信可能でかつタイマ機能を有するワイヤレスコントローラの記憶部に、過去に接続された複数の室内機製造番号とその送信回数から推測する使用時間を記憶すると共に、過去に接続された複数の室外機製造番号とその送信回数から推測する使用時間を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１１】
第３の発明は、双方向通信可能でかつタイマ機能を有するワイヤレスコントローラの記憶部に、過去に接続された複数の室内機製造番号とその送信回数及びその接続中のワイヤレスコントローラのＯＮ／ＯＦＦ回数を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１２】
第４の発明は、双方向通信可能でかつタイマ機能を有するワイヤレスコントローラの記憶部に、過去に接続された複数の室内機製造番号とその送信回数及びその接続中のワイヤレスコントローラの各モードにおける運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１３】
第５の発明は、双方向通信可能でかつタイマ機能を有するワイヤレスコントローラの記憶部に、過去に接続された複数の室内機製造番号とその送信回数及びその接続中の各ワイヤレスコントローラ風量設定における運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１４】
第６の発明は、双方向通信可能でかつタイマ機能を有するワイヤレスコントローラの記
憶部に、過去に接続された複数の室内機製造番号とその送信回数及びその接続中の各ワイヤレスコントローラ風向設定における運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１５】
第７の発明は、双方向通信可能でかつカレンダ機能を有するワイヤレスコントローラの記憶部に、過去に接続された複数の室内機製造番号とその送信回数及びその接続中の時期を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができるという効果を奏する。
【００１６】
以下本発明の実施の形態について図面を参照して説明する。
【００１７】
（実施の形態１）
図１は本発明の実施の形態１に係わる制御装置の構成図である。図１において、室内制御装置１は、マイクロコンピュータ１１、室内記憶部１２、室内通信部１３、室内送受信部から構成され、また、室外制御装置２は、マイクロコンピュータ２１、室外記憶部２２、室外通信部２３から構成され、そして、双方向通信可能なワイヤレスコントローラ３は、マイクロコンピュータ３１、ワイヤレス記憶部３２、ワイヤレス送受信部３３から構成されている。
【００１８】
次に実際の動作を、図２のフローチャートを用いて説明する。まず、室外制御装置２において、マイクロコンピュータ２１により室外記憶部２２より室外製造番号を読出し、室外から室内経由にて、室内送受信部１４より、双方向通信可能なワイヤレスへ室外製造番号が送信される（２０１）。そして、マイクロコンピュータ３１により室外製造番号がワイヤレス記憶部３２へ記憶される（２０２）と同時に、室外製造番号送信回数もワイヤレス記憶部３２へ記憶される（２０３）。その後、再度、室外から室内経由にてワイヤレスへ室外製造番号が送信され（２０４）、マイクロコンピュータ３１にて、既にワイヤレス記憶部３２に記憶中の室外製造番号と同じか判定する（２０５）。もし、同じであれば、ワイヤレス記憶部３２へ従来室外製造番号送信回数が更新され、記憶される（２０６）。もし、異なるのであれば、新たな室外製造番号が記憶済みの室外製造番号とは別に、ワイヤレス記憶部３２へ記憶され（２０７）、ワイヤレス記憶部３２へ新規室外製造番号送信回数が更新され、記憶される（２０８）。
【００１９】
このように双方向通信可能なワイヤレスコントローラの記憶部に、過去に接続された複数の室内機製造番号とその送信回数を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００２０】
（実施の形態２）
図３は本発明の実施の形態２に係わる制御装置の構成図である。図３において、室内制御装置Ａ１は、マイクロコンピュータ１１、室内記憶部１２、室内通信部１３、室内送受信部１４から、室内制御装置Ｂ４は、マイクロコンピュータ４１、室内記憶部４２、室内通信部４３、室内送受信部４４から構成され、また、室外制御装置２は、マイクロコンピュータ２１、室外記憶部２２、室外通信部２３から構成され、そして、双方向通信可能な
ワイヤレスコントローラ３は、マイクロコンピュータ３１、記憶部３２、ワイヤレス送受信部３３、タイマ機能３４から構成されている。
【００２１】
次に実際の動作を、図４のフローチャートを用いて説明する。まず、室外制御装置２において、マイクロコンピュータ２１により室外記憶部２２より室外製造番号を読出し、室外から室内経由にて、室内送受信部１４より、双方向通信可能なワイヤレスへ室外製造番号が送信される（４０１）。そして、マイクロコンピュータ３１により室外製造番号がワイヤレス記憶部３２へ記憶される（４０２）と同時に、室外製造番号送信回数もワイヤレス記憶部３２へ記憶される（４０３）。その後、再度、室外から室内経由にてワイヤレスへ室外製造番号が送信され（４０４）、マイクロコンピュータ３１にて、既にワイヤレス記憶部３２に記憶中の室外製造番号と同じか判定する（４０５）。もし、同じであれば、室外製造番号は室内より一定期間毎に定期的に送信されることから、従来室外製造番号送信回数から使用時間（通電時間）を推測し、ワイヤレス記憶部３２へ従来室外機の使用時間が更新され、記憶される（４０６）。もし、異なるのであれば、新たな室外製造番号が記憶済みの室外製造番号とは別に、ワイヤレス記憶部３２へ記憶され（４０７）、新規室外製造番号送信回数から使用時間を推測し、ワイヤレス記憶部３２へ新規室外機の使用時間が更新され、記憶される（４０６）。
【００２２】
このように双方向通信可能でかつタイマ機能を有するワイヤレスコントローラの記憶部に、過去に接続された複数の室内機製造番号とその送信回数から推測する使用時間を記憶すると共に、過去に接続された複数の室外機製造番号とその送信回数から推測する使用時間を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる
（実施の形態３）
本発明の実施の形態３に係るフローチャートである。図５を用いて説明する。
【００２３】
まず、室内制御装置１において、マイクロコンピュータ１１により室内記憶部１２より室内製造番号を読出し、室内送受信部１４より、双方向通信可能なワイヤレスへ室内製造番号が送信される（５０１）。そして、マイクロコンピュータ３１により室内製造番号がワイヤレス記憶部３２へ記憶される（５０２）と同時に、室内製造番号送信回数もワイヤレス記憶部３２へ記憶される（５０３）。その後、再度、室内からワイヤレスへ室内製造番号が送信され（５０４）、マイクロコンピュータ３１にて、既にワイヤレス記憶部３２に記憶中の室内製造番号と同じか判定する（５０５）。もし、同じであれば、ワイヤレス記憶部３２へ従来室内製造番号送信回数が更新され、記憶される（５０６）と共に、従来室内機接続時のワイヤレスコントローラＯＮ／ＯＦＦ回数も更新され、記憶される（５０７）。もし、異なるのであれば、新たな室内製造番号が記憶済みの室ない製造番号とは別に、ワイヤレス記憶部３２へ記憶され（５０８）、ワイヤレス記憶部３２へ新規室内製造番号送信回数が更新され、記憶される（５０９）と共に、新規室内機接続時のワイヤレスコントローラＯＮ／ＯＦＦ回数も更新され、記憶される（５１０）。
【００２４】
このように双方向通信可能でかつタイマ機能を有するワイヤレスコントローラの記憶部に、過去に接続された複数の室内機製造番号とその送信回数及びその接続中のワイヤレスコントローラのＯＮ／ＯＦＦ回数を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００２５】
（実施の形態４）
本発明の実施の形態４に係るフローチャートである。図６を用いて説明する。
【００２６】
まず、室内制御装置１において、マイクロコンピュータ１１により室内記憶部１２より室内製造番号を読出し、室内送受信部１４より、双方向通信可能なワイヤレスへ室内製造番号が送信される（６０１）。そして、マイクロコンピュータ３１により室内製造番号がワイヤレス記憶部３２へ記憶される（６０２）と同時に、室内製造番号送信回数もワイヤレス記憶部３２へ記憶される（６０３）。その後、再度、室内からワイヤレスへ室内製造番号が送信され（６０４）、マイクロコンピュータ３１にて、既にワイヤレス記憶部３２に記憶中の室内製造番号と同じか判定する（６０５）。もし、同じであれば、ワイヤレス記憶部３２へ従来室内製造番号送信回数が更新され、記憶される（６０６）と共に、従来室内機接続時のワイヤレスコントローラの各モードの運転時間も更新され、記憶される（６０７）。もし、異なるのであれば、新たな室内製造番号が記憶済みの室ない製造番号とは別に、ワイヤレス記憶部３２へ記憶され（６０８）、ワイヤレス記憶部３２へ新規室内製造番号送信回数が更新され、記憶される（６０９）と共に、新規室内機接続時のワイヤレスコントローラの各モードの運転時間も更新され、記憶される（６１０）。
【００２７】
このように双方向通信可能でかつタイマ機能を有するワイヤレスコントローラの記憶部に、過去に接続された複数の室内機製造番号とその送信回数及びその接続中のワイヤレスコントローラの各モードにおける運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００２８】
（実施の形態５）
本発明の実施の形態５に係るフローチャートである。図７を用いて説明する。
【００２９】
まず、室内制御装置１において、マイクロコンピュータ１１により室内記憶部１２より室内製造番号を読出し、室内送受信部１４より、双方向通信可能なワイヤレスへ室内製造番号が送信される（７０１）。そして、マイクロコンピュータ３１により室内製造番号がワイヤレス記憶部３２へ記憶される（７０２）と同時に、室内製造番号送信回数もワイヤレス記憶部３２へ記憶される（７０３）。その後、再度、室内からワイヤレスへ室内製造番号が送信され（７０４）、マイクロコンピュータ３１にて、既にワイヤレス記憶部３２に記憶中の室内製造番号と同じか判定する（７０５）。もし、同じであれば、ワイヤレス記憶部３２へ従来室内製造番号送信回数が更新され、記憶される（７０６）と共に、従来室内機接続時のワイヤレスコントローラの各風量設定毎の運転時間も更新され、記憶される（７０７）。もし、異なるのであれば、新たな室内製造番号が記憶済みの室ない製造番号とは別に、ワイヤレス記憶部３２へ記憶され（７０８）、ワイヤレス記憶部３２へ新規室内製造番号送信回数が更新され、記憶される（７０９）と共に、新規室内機接続時のワイヤレスコントローラの各風量設定毎の運転時間も更新され、記憶される（７１０）。
【００３０】
このように双方向通信可能でかつタイマ機能を有するワイヤレスコントローラの記憶部に、過去に接続された複数の室内機製造番号とその送信回数及びその接続中の各ワイヤレスコントローラ風量設定における運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００３１】
（実施の形態６）
本発明の実施の形態６に係るフローチャートである。図８を用いて説明する。
【００３２】
まず、室内制御装置１において、マイクロコンピュータ１１により室内記憶部１２より室内製造番号を読出し、室内送受信部１４より、双方向通信可能なワイヤレスへ室内製造番号が送信される（８０１）。そして、マイクロコンピュータ３１により室内製造番号がワイヤレス記憶部３２へ記憶される（８０２）と同時に、室内製造番号送信回数もワイヤレス記憶部３２へ記憶される（８０３）。その後、再度、室内からワイヤレスへ室内製造番号が送信され（８０４）、マイクロコンピュータ３１にて、既にワイヤレス記憶部３２に記憶中の室内製造番号と同じか判定する（８０５）。もし、同じであれば、ワイヤレス記憶部３２へ従来室内製造番号送信回数が更新され、記憶される（８０６）と共に、従来室内機接続時のワイヤレスコントローラの各風向設定毎の運転時間も更新され、記憶される（８０７）。もし、異なるのであれば、新たな室内製造番号が記憶済みの室ない製造番号とは別に、ワイヤレス記憶部３２へ記憶され（８０８）、ワイヤレス記憶部３２へ新規室内製造番号送信回数が更新され、記憶される（８０９）と共に、新規室内機接続時のワイヤレスコントローラの各風向設定毎の運転時間も更新され、記憶される（８１０）。
【００３３】
このように双方向通信可能でかつタイマ機能を有するワイヤレスコントローラの記憶部に、過去に接続された複数の室内機製造番号とその送信回数及びその接続中の各ワイヤレスコントローラ風向設定における運転時間を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【００３４】
（実施の形態７）
図９は本発明の実施の形態７に係わる制御装置の構成図である。図９において、室内制御装置Ａ１は、マイクロコンピュータ１１、室内記憶部１２、室内通信部１３、室内送受信部１４から、室内制御装置Ｂ４は、マイクロコンピュータ４１、室内記憶部４２、室内通信部４３、室内送受信部４４から構成され、また、室外制御装置２は、マイクロコンピュータ２１、室外記憶部２２、室外通信部２３から構成され、そして、双方向通信可能なワイヤレスコントローラ３は、マイクロコンピュータ３１、記憶部３２、ワイヤレス送受信部３３、カレンダ機能３５から構成されている。
【００３５】
次に実際の動作を、図１０のフローチャートを用いて説明する。
【００３６】
まず、室内制御装置１において、マイクロコンピュータ１１により室内記憶部１２より室内製造番号を読出し、室内送受信部１４より、双方向通信可能なワイヤレスへ室内製造番号が送信される（１００１）。そして、マイクロコンピュータ３１により室内製造番号がワイヤレス記憶部３２へ記憶される（１００２）と同時に、室内製造番号送信回数もワイヤレス記憶部３２へ記憶される（１００３）。その後、再度、室内からワイヤレスへ室内製造番号が送信され（１００４）、マイクロコンピュータ３１にて、既にワイヤレス記憶部３２に記憶中の室内製造番号と同じか判定する（１００５）。もし、同じであれば、ワイヤレス記憶部３２へ従来室内製造番号送信回数が更新され、記憶される（１００６）と共に、従来室内機接続時の接続時期も更新され、記憶される（１００７）。もし、異なるのであれば、新たな室内製造番号が記憶済みの室ない製造番号とは別に、ワイヤレス記憶部３２へ記憶され（１００８）、ワイヤレス記憶部３２へ新規室内製造番号送信回数が更新され、記憶される（１００９）と共に、新規室内機接続時の接続時期も更新され、記憶される（１０１０）。
【００３７】
このように双方向通信可能でかつカレンダ機能を有するワイヤレスコントローラの記憶
部に、過去に接続された複数の室内機製造番号とその送信回数及びその接続中の時期を記憶すると共に、過去に接続された複数の室外機製造番号とその送信回数を記憶することにより、空気調和機室内機本体または室内機の制御装置と、双方向通信可能なワイヤレスコントローラが故障にて返却された場合、確実な故障解析とその修理を容易に実施することができる空気調和機の制御装置を提供することができる。
【図面の簡単な説明】
【００３８】
【図１】本発明の実施の形態１における制御装置の構成図
【図２】本発明の実施の形態１に係るフローチャート
【図３】本発明の実施の形態２における制御装置の構成図
【図４】本発明の実施の形態２に係るフローチャート
【図５】本発明の実施の形態３に係るフローチャート
【図６】本発明の実施の形態４に係るフローチャート
【図７】本発明の実施の形態５に係るフローチャート
【図８】本発明の実施の形態６に係るフローチャート
【図９】本発明の実施の形態７における制御装置の構成図
【図１０】本発明の実施の形態７に係るフローチャート
【図１１】従来の制御装置の構成図
【符号の説明】
【００３９】
１  室内制御装置
１１  マイクロコンピュータ
１２  室内記憶部
１３  室内通信部
１４  室内送受信部
２  室外制御装置
２１  マイクロコンピュータ
２２  室外記憶部
２３  室外通信部
３  ワイヤレスコントローラ
３１  マイクロコンピュータ
３２  ワイヤレス記憶部
３３  ワイヤレス送受信部
３４  ワイヤレスタイマ機能
３５  ワイヤレスカレンダ機能
【図１】
2007240018.tif 000003
【図２】
2007240018.tif 000004
【図３】
2007240018.tif 000005
【図４】
2007240018.tif 000006
【図５】
2007240018.tif 000007
【図６】
2007240018.tif 000008
【図７】
2007240018.tif 000009
【図８】
2007240018.tif 000010
【図９】
2007240018.tif 000011
【図１０】
2007240018.tif 000012
【図１１】
2007240018.tif 000013